(57)【要約】【課題】各種電子機器に使用される開閉装置及びこれを用いた電子機器に関し、機器の小型化が可能で電気的接続の確実なものを提供することを目的とする。【解決手段】固定体２１と、一端がこれに固着された固定軸２７、及び可動ケース５側面から突出した固定軸２７の他端部に装着された係止体２８に、導電金属メッキを施して開閉装置を構成すると共に、これを用いて電子機器を構成することによって、確実な電気的接続が得られると共に、配線体分のスペースが不要となり、機器の小型化が可能な開閉装置及びこれを用いた電子機器を得ることができる。【選択図】図１
2008095890.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動体を軸線方向へ移動可能に収納した可動ケースと、上記可動体を付勢し上記可動カムを上記固定カムに弾接させるばねと、一端が上記固定体に固着され他端が上記可動ケース側面から突出した固定軸と、この他端部に装着され固定軸を上記可動ケースに回転可能に係止した係止体からなり、上記固定体と上記固定軸、及び上記係止体に導電金属メッキを施した開閉装置。
【請求項２】
請求項１記載の開閉装置の固定体及び可動ケースを、固定筐体及び可動筐体に装着すると共に、上記固定体及び係止体にアース端子を弾接させ、上記固定筐体及び上記可動筐体を電気的に接続した電子機器。
【発明の詳細な説明】
【技術分野】
【０００１】
本発明は、携帯電話やパーソナルコンピュータ等の各種電子機器に使用される開閉装置、及びこれを用いた電子機器に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、より小型・薄型化の可能なものが求められている。
【０００３】
このような従来の開閉装置及びこれを用いた電子機器について、図４及び図５を用いて説明する。
【０００４】
なお、これらの図面の内、断面図は固定カムと可動カムの関係を判り易くするため、径方向を拡大して表わしている。
【０００５】
図４は従来の開閉装置の断面図であり、同図において、１は略円筒状の固定体で、この右側面外周には突出部２Ａ、及びこの突出部２Ａから上下へ延出する二つの傾斜部２Ｂ、２Ｃから形成された固定カム２が設けられている。
【０００６】
そして、３は同じく略円筒状の可動体で、固定体１に対し開閉方向へ回転可能に、かつ軸線方向へ移動可能に配置され、固定カム２との対向面である左側面外周には可動カム４が設けられている。
【０００７】
また、５は略円筒状の可動ケース、６はコイル状のばねで、この可動ケース５内に固定体１や可動体３が収納されると共に、可動体３右側面と可動ケース５内側面の間には、ばね６がやや撓んだ状態で装着され、このばね６によって可動体３が左方向へ付勢され、可動カム４の先端が固定カム２の傾斜部２Ｂへ弾接している。
【０００８】
さらに、７は略円柱状の固定軸で、この固定軸７の左端部に固定体１が固着されて、固定部１Ａが可動ケース５左側面から回転可能に突出すると共に、固定軸７は可動体３の中空部やばね６を挿通し、可動ケース５外側面から突出した右端部が、係止体８によって可動ケース５に回転可能に装着されて、開閉装置１０が構成されている。
【０００９】
また、このように構成された開閉装置１０は、例えば、図５の携帯電話の部分断面斜視図に示すように、固定体１の固定部１Ａが上面に複数のキーからなる操作部１２Ａやマイクロフォン等の音声入力部１２Ｂが形成された固定筐体１２へ、可動ケース５が、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支される。
【００１０】
そして、この固定筐体１２と可動筐体１３の連結部に装着された開閉装置１０側方には、リード線や配線基板等の配線体１４がやや弛んだ状態で配置され、この配線体１４によって、固定筐体１２と可動筐体１３内に形成された電子回路（図示せず）や操作部１２Ａ、音声入力部１２Ｂ、表示部１３Ａや音声出力部１３Ｂ等が電気的に接続されて、電子機器が構成される。
【００１１】
以上の構成において、図４に示したように、可動カム４の先端が固定カム２下側の傾斜部２Ｂへ弾接した状態では、可動体３がばね６によって下方向の閉方向へ付勢され、この力が可動ケース５に加わっているため、可動ケース５が固着された可動筐体１３は、固定筐体１２に対して閉じた状態で保持されている。
【００１２】
また、この閉状態から、可動筐体１３を手で開くと、可動筐体１３に固着された可動ケース５が回転し、可動体３が可動ケース５内を軸線方向へ移動しながら回転して、可動カム４先端が固定カム２の突出部２Ａを超えて上側の傾斜部２Ｃへ弾接し、可動体３が開方向へ付勢されるため、可動ケース５が固着された可動筐体１３に開く方向の力が加わり、可動筐体１３が固定筐体１２に対して開いた状態となる。
【００１３】
つまり、可動筐体１３に固着された可動ケース５を回転させることによって、ばね６に付勢された可動体３を軸線方向へ移動させ、可動カム４先端を固定カム２の傾斜部２Ｂまたは２Ｃのいずれかへ弾接させることによって、可動筐体１３を閉または開方向のいずれかへ付勢して、固定筐体１２に対する可動筐体１３の開閉操作が行われるように構成されている。
【００１４】
また、固定筐体１２上面の操作部１２Ａを操作した場合には、この電気信号が固定筐体１２と可動筐体１３の連結部に装着された配線体１４を介して、可動筐体１３の電子回路に送信され、表示部１３Ａ等に操作に応じた数値や文字等が表示されると共に、通話を行う際には、音声入力部１２Ｂや音声出力部１３Ｂからの電気信号が、配線体１４を介して各々の電子回路に送信されるように構成されているものであった。
【００１５】
なお、この出願の発明に関連する先行技術文献情報としては、例えば、特許文献１が知られている。
【特許文献１】特開２００６−５７７４０号公報
【発明の開示】
【発明が解決しようとする課題】
【００１６】
しかしながら、上記従来の開閉装置及びこれを用いた電子機器においては、固定筐体１２と可動筐体１３の連結部に、開閉操作のための開閉装置１０と電気的接続のための配線体１４が装着されているため、構成が複雑になると共に、この二つの部品分のスペースが必要となり、全体の小型化を図ることが困難であるという課題があった。
【００１７】
本発明は、このような従来の課題を解決するものであり、機器の小型化が可能で電気的接続の確実な開閉装置、及びこれを用いた電子機器を提供することを目的とする。
【課題を解決するための手段】
【００１８】
上記目的を達成するために本発明は、以下の構成を有するものである。
【００１９】
本発明の請求項１に記載の発明は、固定体と、一端が固定体に固着された固定軸、及び可動ケース側面から突出した固定軸の他端部に装着された係止体に、導電金属メッキを施して開閉装置を構成したものであり、電子機器に装着した際、固定体及び係止体にアース端子を弾接させ、固定筐体と可動筐体を電気的に接続することができるため、確実な電気的接続が得られると共に、配線体分のスペースが不要となり、機器の小型化が可能な開閉装置を得ることができるという作用を有する。
【００２０】
請求項２に記載の発明は、請求項１記載の開閉装置の固定体及び可動ケースを、固定筐体及び可動筐体に装着すると共に、固定体及び係止体にアース端子を弾接させ、固定筐体及び可動筐体を電気的に接続して電子機器を構成したものであり、簡易な構成で確実な電気的接続が得られ、小型化を図ることが可能な電子機器を実現することができるという作用を有する。
【発明の効果】
【００２１】
以上のように本発明によれば、機器の小型化が可能で電気的接続の確実な開閉装置、及びこれを用いた電子機器を実現することができるという有利な効果が得られる。
【発明を実施するための最良の形態】
【００２２】
以下、本発明の実施の形態について、図１〜図３を用いて説明する。
【００２３】
なお、これらの図面の内、断面図は固定カムと可動カムの関係を判り易くするため、径方向を拡大して表わしている。
【００２４】
また、背景技術の項で説明した構成と同一構成の部分には同一符号を付して、詳細な説明を簡略化する。
【００２５】
（実施の形態）
図１は本発明の一実施の形態による開閉装置の断面図、図２は同分解斜視図であり、同図において、２１は中空円筒状で鋼や銅合金、焼結合金等の金属製の固定体で、この右端部外周には、突出部２２Ａ、及びこの突出部２２Ａから上下へ延出する二つの傾斜部２２Ｂ、２２Ｃから形成された、一対の固定カム２２が対向して設けられている。
【００２６】
そして、３は同じく略円筒状で金属製の可動体で、固定体２１に対し開閉方向へ回転可能に、かつ軸線方向へ移動可能に配置されると共に、固定カム２２との対向面である左端部外周には一対の可動カム４が対向して設けられている。
【００２７】
また、５は略円筒状で鋼や銅合金等の金属製の可動ケース、６はコイル状で鋼または銅合金線製のばねで、この可動ケース５内に固定体２１や可動体３が収納されると共に、可動体３右側面と可動ケース５内側面の間には、ばね６がやや撓んだ状態で装着され、このばね６によって可動体３が左方向へ付勢され、可動カム４の先端が固定カム２２の傾斜部２２Ｂへ弾接している。
【００２８】
さらに、２７は略円柱状で金属製の固定軸で、この固定軸２７の左端部に固定体２１が固着されて、固定部２１Ａが可動ケース５左側面から回転可能に突出すると共に、固定軸２７が可動体３の中空部やばね６を挿通し、右端部が可動ケース５外側面から突出している。
【００２９】
そして、この固定軸２７右端部には、略リング状で金属製の係止体２８が装着されて、固定軸２７が可動ケース５に回転可能に係止されると共に、固定体２１と固定軸２７、及び係止体２８には、ニッケルや錫、金等の導電金属メッキが施されて、開閉装置２０が構成されている。
【００３０】
また、このように構成された開閉装置２０は、例えば、図３の携帯電話の部分断面斜視図に示すように、固定体２１の固定部２１Ａが上面に複数のキーからなる操作部１２Ａやマイクロフォン等の音声入力部１２Ｂが形成された固定筐体１２へ、可動ケース５が、表面にＬＣＤ等の表示部１３Ａやスピーカ等の音声出力部１３Ｂが形成された可動筐体１３へ各々固着され、開閉装置２０によって固定筐体１２に対して可動筐体１３が開閉可能に軸支される。
【００３１】
さらに、開閉装置２０の固定体２１外周には、固定筐体１２内に形成された電子回路（図示せず）や操作部１２Ａ、音声入力部１２Ｂに接続された略アーム状で銅合金板等のアース端子１５Ａが、係止体２８側面には、同じく可動筐体１３内の電子回路や表示部１３Ａ、音声出力部１３Ｂに接続されたアース端子１５Ｂが、各々やや撓んだ状態で弾接している。
【００３２】
つまり、リード線や配線基板等の配線体を用いることなく、固定体２１と係止体２８にアース端子１５Ａと１５Ｂを弾接させ、開閉装置２０を介して、固定筐体１２と可動筐体１３内の電子回路が電気的に接続されて、電子機器が構成されている。
【００３３】
したがって、固定筐体１２と可動筐体１３の連結部には、これらの配線体分のスペースが不要となり、開閉装置２０側方には空隙が形成され、このスペース分だけ機器全体の小型化を図ることが可能なようになっている。
【００３４】
以上の構成において、図１に示したように、可動カム４の先端が固定カム２２下側の傾斜部２２Ｂへ弾接した状態では、可動体３がばね６によって下方向の閉方向へ付勢され、この力が可動ケース５に加わっているため、可動ケース５が固着された可動筐体１３は、固定筐体１２に対して閉じた状態で保持されている。
【００３５】
また、この閉状態から、可動筐体１３を手で開くと、可動筐体１３に固着された可動ケース５が回転し、可動体３が可動ケース５内を軸線方向へ移動しながら回転して、可動カム４先端が固定カム２２の突出部２２Ａを超えて上側の傾斜部２２Ｃへ弾接し、可動体３が開方向へ付勢されるため、可動ケース５が固着された可動筐体１３に開く方向の力が加わり、可動筐体１３が固定筐体１２に対して開いた状態となる。
【００３６】
つまり、可動筐体１３に固着された可動ケース５を回転させることによって、ばね６に付勢された可動体３を軸線方向へ移動させ、可動カム４先端を固定カム２２の傾斜部２２Ｂまたは２２Ｃのいずれかへ弾接させることによって、可動筐体１３を閉または開方向のいずれかへ付勢して、固定筐体１２に対する可動筐体１３の開閉操作が行われるようになっている。
【００３７】
また、固定筐体１２上面の操作部１２Ａを操作した場合には、この電気信号がアース端子１５Ａから開閉装置２０、アース端子１５Ｂを介して、可動筐体１３の電子回路に送信され、表示部１３Ａ等に操作に応じた数値や文字等が表示されると共に、通話を行う際には、音声入力部１２Ｂや音声出力部１３Ｂからの電気信号が、同様に開閉装置２０を介して各々の電子回路に送信されるように構成されている。
【００３８】
なお、この時、電気の通路となる開閉装置２０の、アース端子１５Ａが弾接した固定体２１と、アース端子１５Ｂが弾接した係止体２８、及び左端部に固定体２１が固着され右端部に係止体２８が装着された固定軸２７は、ばね６に付勢された可動体３が固定体２１に弾接し、この付勢力によって固定体２１が固定軸２７の左端部に、固定軸２７の右端部が係止体２８に、さらに係止体２８が可動ケース５外側面に各々弾接した状態となっている。
【００３９】
つまり、電気の通路となる固定体２１と固定軸２７、及び係止体２８が互いに弾接し、確実に接触が保たれるように形成されると共に、これらの各部品には導電金属メッキが施されているため、全体として低い抵抗値で、固定筐体１２と可動筐体１３内の電子回路の電気的接続が、確実に行えるように構成されている。
【００４０】
このように本実施の形態によれば、固定体２１と、一端がこれに固着された固定軸２７、及び可動ケース５側面から突出した固定軸２７の他端部に装着された係止体２８に、導電金属メッキを施して開閉装置を構成すると共に、これを用いて電子機器を構成することによって、確実な電気的接続が得られると共に、配線体分のスペースが不要となり、機器の小型化が可能な開閉装置及びこれを用いた電子機器を得ることができるものである。
【００４１】
なお、以上の説明では、固定体２１と固定軸２７、及び係止体２８に導電金属メッキを施し、これらを電気の通路とする構成について説明したが、通電路を構成する部品は増えるが、可動ケース５も係止体２８に弾接しているため、これにも導電金属メッキを施し、この可動ケース５外周にアース端子１５Ｂを弾接させる構成としても、本発明の実施は可能である。
【００４２】
また、以上の説明では、固定体２１や固定軸２７、係止体２８、可動ケース５等を鋼や銅合金、焼結合金等の金属で形成し、これらの全体に導電金属メッキを施した構成について説明したが、全体ではなく各々の部品の弾接箇所にのみメッキを施したものや、或いは、ある程度強度のある絶縁樹脂でこれらの部品を形成し、その表面を導電金属メッキで覆ったものとしても、実施は可能である。
【産業上の利用可能性】
【００４３】
本発明による開閉装置及びこれを用いた電子機器は、機器の小型化が可能で電気的接続の確実なものを得ることができ、各種電子機器の開閉装置として有用である。
【図面の簡単な説明】
【００４４】
【図１】本発明の一実施の形態による開閉装置の断面図
【図２】同分解斜視図
【図３】同携帯電話の部分断面斜視図
【図４】従来の開閉装置の断面図
【図５】同携帯電話の部分断面斜視図
【符号の説明】
【００４５】
３  可動体
４  可動カム
５  可動ケース
６  ばね
１２  固定筐体
１２Ａ  操作部
１２Ｂ  音声入力部
１３  可動筐体
１３Ａ  表示部
１３Ｂ  音声出力部
１５Ａ、１５Ｂ  アース端子
２０  開閉装置
２１  固定体
２１Ａ  固定部
２２  固定カム
２２Ａ  突出部
２２Ｂ、２２Ｃ  傾斜部
２７  固定軸
２８  係止体
【図１】
2008095890.tif 000003
【図２】
2008095890.tif 000004
【図３】
2008095890.tif 000005
【図４】
2008095890.tif 000006
【図５】
2008095890.tif 000007